(57)【特許請求の範囲】
【請求項１】
中差込片の上に、上面片を折り重ねて施蓋する包装箱であって、
前記上面片に、第１抜き起し片が上方に抜き起こされると共に、前記上面片との連設部に形成される離間する２本の折目線で略コ字形状に反対側に折り曲げられて設けられ、
第１抜き起し片が抜き起こされることにより前記上面片に形成された開口に、前記中差込片から上方に抜き起こされて前記中差込片との連設部に形成される離間する２本の折目線で略コ字形状に反対側に折り曲げられた第２抜き起し片が差し込まれ、
前記第１抜き起し片の２本の折目線に挟まれた立ち上り部と前記第２抜き起し片の２本の折目線に挟まれた立ち上り部が重ね合わされると共に、第１抜き起し片の立ち上り部より先端部と第２抜き起し片の立ち上り部より先端部とが反対方向に折り曲げられ、該２つの先端部によって全体として１つの装飾形状が形成されて施蓋されることを特徴とする包装箱。
【請求項２】
中差込片の上に、上面片を折り重ねて施蓋する包装箱であって、
前記中差込片に、抜き起し片が一端部を残して上方に抜き起こされ、該抜き起し片の一端部には離間する２本の折目線が形成されると共に、前記一端部に対向する他端部にも前記離間距離に略等しい間隔で２本の折目線が形成され、
前記上面片には、前記抜き起し片の前記一端部と対応する位置に、前記抜き起し片が差し通される挿通溝が形成され、
この挿通溝を通された前記抜き起し片は、前記上面片から前記離間距離に略等しい間隔で上方に離間して配置されるよう前記折目線で折り曲げられ、前記他端部が前記上面片に形成された係止溝に係止され、前記抜き起し片の中央部が装飾部とされることを特徴とする包装箱。
【請求項３】
上部開口を左右の上面片と前後の折込片とで施蓋する包装箱であって、
施蓋状態で左右の上面片の対向する端縁に、それぞれ前記上面片との連設部に形成される離間する２本の折目線で略コ字に折り返されてなる起し片が連設されると共に、左右の上面片のうちの一方の上面片の起し片の基端部には端縁と連続に前方から切込みが形成され、左右の上面片のうちの他方の上面片の起し片の基端部には前記端縁と連続に後方から切込みが形成され、
前記左右の起し片の２本の折目線に挟まれた立ち上り部が重ね合わされた状態で、前側折込片が一方の上面片の上面に重ね合わされて該上面片の起し片に形成された前記切込みに差し込まれ、他方の上面片の下方に差し込まれると共に、後側折込片が他方の上面片の上面に重ね合わされて該上面片の起し片に形成された前記切込みに差し込まれ、一方の上面片の下方に差し込まれ、一方の上面片の起し片の立ち上り部より先端部と他方の上面片の起し片の立ち上り部より先端部とが反対方向に折り曲げられ、該２つの先端部によって全体として１つの装飾形状が形成されて施蓋されることを特徴とする包装箱。
【発明の詳細な説明】
【０００１】
【発明の属する技術分野】
この発明は、商品や景品等を装飾的に包装する包装箱に関するものである。
【０００２】
【従来の技術】
従来、各種商品や景品等は、直方体形状の箱に収納されたり、包装紙で包まれたりして包装されている。
【０００３】
【発明が解決しようとする課題】
しかしながら、従来の方法では、包装箱や包装紙に付される模様を変化させたり、包装紙の包み方を変化させたりして装飾するしかなく、面白味に欠けるものであった。
この発明は、これらの課題を解決するためになされたものである。
【０００４】
【課題を解決するための手段】
上記課題を解決するために、請求項１に記載の包装箱は、中差込片の上に、上面片を折り重ねて施蓋する包装箱であって、前記上面片に、第１抜き起し片が上方に抜き起こされると共に、前記上面片との連設部に形成される離間する２本の折目線で略コ字形状に反対側に折り曲げられて設けられ、第１抜き起し片が抜き起こされることにより前記上面片に形成された開口に、前記中差込片から上方に抜き起こされて前記中差込片との連設部に形成される離間する２本の折目線で略コ字形状に反対側に折り曲げられた第２抜き起し片が差し込まれ、前記第１抜き起し片の２本の折目線に挟まれた立ち上り部と前記第２抜き起し片の２本の折目線に挟まれた立ち上り部が重ね合わされると共に、第１抜き起し片の立ち上り部より先端部と第２抜き起し片の立ち上り部より先端部とが反対方向に折り曲げられ、該２つの先端部によって全体として１つの装飾形状が形成されて施蓋されることを特徴とする。
また、請求項２に記載の包装箱は、中差込片の上に、上面片を折り重ねて施蓋する包装箱であって、前記中差込片に、抜き起し片が一端部を残して上方に抜き起こされ、該抜き起し片の一端部には離間する２本の折目線が形成されると共に、前記一端部に対向する他端部にも前記離間距離に略等しい間隔で２本の折目線が形成され、前記上面片には、前記抜き起し片の前記一端部と対応する位置に、前記抜き起し片が差し通される挿通溝が形成され、この挿通溝を通された前記抜き起し片は、前記上面片から前記離間距離に略等しい間隔で上方に離間して配置されるよう前記折目線で折り曲げられ、前記他端部が前記上面片に形成された係止溝に係止され、前記抜き起し片の中央部が装飾部とされることを特徴とする。
【０００５】
請求項３に記載の包装箱は、上部開口を左右の上面片と前後の折込片とで施蓋する包装箱であって、施蓋状態で左右の上面片の対向する端縁に、それぞれ前記上面片との連設部に形成される離間する２本の折目線で略コ字に折り返されてなる起し片が連設されると共に、左右の上面片のうちの一方の上面片の起し片の基端部には端縁と連続に前方から切込みが形成され、左右の上面片のうちの他方の上面片の起し片の基端部には前記端縁と連続に後方から切込みが形成され、前記左右の起し片の２本の折目線に挟まれた立ち上り部が重ね合わされた状態で、前側折込片が一方の上面片の上面に重ね合わされて該上面片の起し片に形成された前記切込みに差し込まれ、他方の上面片の下方に差し込まれると共に、後側折込片が他方の上面片の上面に重ね合わされて該上面片の起し片に形成された前記切込みに差し込まれ、一方の上面片の下方に差し込まれ、一方の上面片の起し片の立ち上り部より先端部と他方の上面片の起し片の立ち上り部より先端部とが反対方向に折り曲げられ、該２つの先端部によって全体として１つの装飾形状が形成されて施蓋されることを特徴とする。
【０００６】
【発明の実施の形態】
以下、この発明の包装箱１０，１０Ａ，３０，５０，７０について、さらに詳細に説明する。
図１から図４は、この発明の包装箱の第１実施例（１０）を示す図であり、図１は展開斜視図、図２は組立途中の状態を示す斜視図、図３は組立完成状態を示す斜視図、図４は図３におけるＡ−Ａ断面図である。
この実施例の包装箱１０は、ボール紙が打抜加工されてなり、折目線を介して略矩形状の紙片が連続に形成されてなるものである。
すなわち、図１に示すように、矩形状の底面片１１を中心として、その前後左右の側端部にそれぞれ矩形状の側面片（前側面片１２、後側面片１３、左側面片１４、右側面片１５）が折目線を介して連設されており、これらの側面片１２〜１５は底面片１１に対して垂直上方に折り曲げられて使用される。前後の側面片１２，１３は、互いに同一形状の矩形状に形成されてなり、左右方向寸法が底面片１１の左右方向寸法と同一とされてなる。また、左右の側面片１４，１５は、互いに同一形状の矩形状に形成されてなり、前後方向寸法が底面片１１の前後方向寸法と同一とされている。なお、組立時における各側面片１２〜１５の上下方向寸法は同一とされている。ところで、底面片１１と右側面片１５との間の連設部の中央部には、後述する差込片２５が差し込まれる差込溝２６が、折目線より僅かに右側面片１５側に離間しつつ折目線と平行して形成されており、その両端部は折目線側に折曲して形成されている。なお、差込溝２６が形成された中央部には、折目線は形成されていない。
【０００７】
また、前後の側面片１２，１３には、底面片１１が連設された側辺と対向する上端部に、略矩形状の折込片（前側折込片１６、後側折込片１７）が連設されており、これら折込片１６，１７は側面片１２，１３に対して垂直に内側に折り曲げられて使用される。さらに、前後の各側面片１２，１３の左右両端部には、それぞれ舌片１８，１８，１９，１９が連設されており、側面片１２，１３に対して垂直に内側に折り曲げられて使用される。
一方、左右の側面片１４，１５には、底面片１１が連設された側辺と対向する側端部に、底面片１１と略同一形状の上面片２０と中差込片２１が連設されている。なお、中差込片２１の左右方向寸法は、底面片１１の左右方向寸法より僅かに小さく形成されている。また、上面片２０には、左側面片１４が連設された側辺と対向する側端部に、右側面片１５と略同一形状の外側面片２４が折目線を介して連設されており、この外側面片２４には、上面片２０が連設された側辺と対向する側端部の前後方向中央部に、略台形状の差込片２５が折目線を介して連設されている。差込片２５は、先端側に行くに従ってやや幅寸法が小さくなるよう形成されており、差込片２５と外側面片２４との連設部には、前後方向両端部から略三角形状の切込みが形成されている。なお、差込片２５の基端側の最大幅寸法は、底面片１１と右側面片１５との間に形成された差込溝２６の長さと略同一とされている。
【０００８】
上面片２０と中差込片２１には、左右対称形状の第１抜き起し片２２と第２抜き起し片２３とが左右対称位置に形成されている。すなわち、この実施例では全体として蝶型を形成するために、上面片２０の中央部から一側部に、蝶の片側の羽の形状に切込みを入れられて第１抜き起し片２２が形成されており、この第１抜き起し片２２は上面片２０との連設部に、前後方向に延びる２本の折目線２２ａ，２２ｂが左右に離間して形成されている。そして、この内の基端側の折目線２２ａは、上面片２０の左右方向中央部に位置するよう形成されている。一方、中差込片２１の中央部から前記一側部と左右対称位置となる他側部には、蝶の片側の羽の形状に切込みを入れられて第２抜き起し片２３が形成されており、この第２抜き起し片２３は中差込片２１との連設部に、前後方向に延びる２本の折目線２３ａ，２３ｂが左右に離間して形成されている。そして、この内の基端側の折目線２３ａは、上面片２０（中差込片２１）の左右方向中央部に位置するよう形成されている。
【０００９】
次に、この実施例の包装箱１０の使用（組立）状態について説明する。
この実施例の包装箱１０は、図１において、２つの抜き起し片２２，２３に形成された各２本の折目線２２ａ，２２ｂ，２３ａ，２３ｂで山折りして、上面片２０或いは中差込片２１に対して抜き起し片２２，２３を抜き起こすと共にこれら抜き起し片２２，２３を抜き起し側と反対側に略コ字形状に折り曲げる一方、その他の折目線を谷折りして製作される。
すなわち、前後の側面片１２，１３の左右両端部に連設された舌片１８，１９を前後の側面片１２，１３に対して垂直に折り曲げた後、前後の側面片１２，１３を底面片１１に対して垂直上方に折り曲げると共に、これら側面片１２，１３に連設された折込片１６，１７を側面片１２，１３に対して、互いに近接する方向に垂直に折り曲げる。
次に、底面片１１に対して右側面片１５を垂直上方に折り曲げ、さらに、この右側面片１５に対して中差込片２１を垂直に折り曲げて、底面片１１の上部に中差込片２１を配置する。これにより、中差込片２１の下面が前後の折込片１６，１７の上面に当接されて重ね合わされる。
その後、底面片１１に対して左側面片１４を垂直上方に折り曲げ、さらに、この左側面片１４に対して上面片２０を垂直に折り曲げて、中差込片２１の上に上面片２０を重ね合わせる。この際、中差込片２１から上方に抜き起こされた第２抜き起し片２３を、第１抜き起し片２２を抜き起こしたことにより上面片２０に形成された開口に差し込む。そして、外側面片２４を右側面片１５の外面に沿って重ね合わせるよう上面片２０に対して外側面片２４を垂直下方に折り曲げた後、外側面片２４に対して差込片２５を垂直に折り曲げて、差込溝２６に差込片２５を差し込んで係合する。
これにより、第１抜き起し片２２と第２抜き起し片２３とが、上方に浮いて蝶型を形成して装飾的効果を発揮した包装箱１０が完成する。なお、この包装箱１０には、内部に商品や景品等を入れて組み立てられて使用される。
【００１０】
図５から図７は、前記第１実施例の包装箱１０の変形例を示す図であり、図５は展開斜視図、図６は組立途中の状態を示す斜視図、図７は組立完成状態を示す斜視図である。
この実施例の包装箱１０Ａは、前記実施例と比べて、上面片２０と中差込片２１に形成された抜き起し片２２，２３の形状が木の形状とされてなる点が相違する。すなわち、左右対称形状の木を左右二分割し、それぞれを上面片２０と中差込片２１とに、左右対称位置に配置したものである。よって、図６に示すように、上面片２０や中差込片２１から抜き起し片２２，２３を抜き起して略コ字形状に折り曲げ、第１抜き起し片２２を抜き起したことにより上面片２０にできた開口に、第２抜き起し片２３を差し込んで組み立てることにより、図７に示すように、箱の上部に２つの抜き起し片によって全体として木の形状が浮き上がって形成されることとなる。
このように、前記第１実施例の包装箱１０は、左右対称形状の任意の形状を第１抜き起し片２２と第２抜き起し片２３とによって形成することができるのであり、その形状は蝶や木に限られず適宜変更可能である。
なお、この実施例の包装箱１０Ａは、組立時における箱の上下方向の厚さを大きくするために、前後左右の側面片１２〜１５の大きさを前記第１実施例１０よりも大きくしている。
【００１１】
図８から図１０は、この発明の包装箱の第２実施例（３０）を示す図であり、図８は展開斜視図、図９は組立途中の状態を示す斜視図、図１０は組立完成状態を示す斜視図である。
この実施例の包装箱３０は、上面片４０と、中差込片４１及びこれに形成される抜き起し片４３を除いて、前記第１実施例の包装箱１０と略同一の構成とされている。
すなわち、図８に示すように、矩形状の底面片３１を中心として、その前後左右の側端部にそれぞれ矩形状の側面片（前側面片３２、後側面片３３、左側面片３４、右側面片３５）が連設され、前後の側面片３２，３３には、左右に舌片３８，３８，３９，３９が連設されると共に底面片３１と対向する端縁に折込片（前側折込片３６、後側折込片３７）が連設され、左右の側面片３４，３５には、底面片３１と対向する端縁に底面片３１と略同一形状の上面片４０と中差込片４１が連設され、さらに、上面片４０には、左側面片３４と対向する端縁に外側面片４４が連設されている。また、外側面片４４の前後方向中央部に、差込片４５が連設される一方、底面片３１と右側面片３５との間の連設部に、この差込片４５が差し込まれる差込溝４６が形成されている。
さらに、中差込片４１に抜き起し片４３が形成される一方、上面片４０に前記抜き起し片４３を差し通すことができる挿通溝４２Ａと、抜き起し片４３の先端部を係止するため係止溝４２Ｂが形成されてなる。
【００１２】
抜き起し片４３は、一側端部を残してキャラクター等の図形に沿って中差込片４１と切り離されてなる。すなわち、抜き起し片４３は、一側端部において中差込片４１に連設されており、この連設部には、前後方向に沿う２本の折目線４３ａ，４３ｂが互いに離間して形成されると共に、先端側にも前記離間距離に略等しい間隔で２本の折目線４３ｃ，４３ｄが前後方向に沿って形成されている。これにより、抜き起し片４３の基端側の第１折目線４３ａから先端側の第４折目線４３ｄの４本の折目線が形成される。なお、図８において、抜き起し片４３の裏面側には、図１０に示すような図形が印刷されている。
上面片４０に形成される挿通溝４２Ａは、組立時に、前記抜き起し片４３の最も基端側の第１折目線４３ａと対応する位置に、前後方向に沿って形成されている。なお、挿通溝４２Ａの長さは、抜き起し片４３の前後方向の最大寸法よりも大きく形成されている。
また、係止溝４２Ｂは、抜き起し片４３の第２折目線４３ｂと第３折目線４３ｃとの離間距離に等しい距離だけ前記挿通溝４２Ａと離間した位置に、前後方向に沿って形成されている。なお、係止溝４２Ｂの長さは、抜き起し片４３の第４折目線４３ｄから先端側の幅寸法と略等しく形成されている。
【００１３】
次に、この実施例の包装箱３０の使用（組立）状態について説明する。
この実施例の包装箱３０は、図８において、抜き起し片４３の第１折目線４３ａを山折りして、中差込片４１から抜き起し片４３を抜き起こすと共に、その他の折目線を谷折りして製作される。
すなわち、前後の側面片３２，３３を底面片３１に対して垂直上方に折り曲げると共に、これら前後の側面片３２，３３に連設された舌片３８，３９と折込片３６，３７を互いに近接する方向に、前後の側面片３２，３３に対して垂直に折り曲げる。
次に、底面片３１に対して右側面片３５を垂直上方に折り曲げた後、この右側面片３５に対して中差込片４１を垂直に折り曲げて、底面片３１の上部に中差込片４１を配置する。これにより、中差込片４１の下面が前後の折込片３６，３７の上面に当接されて重ね合わされる。
その後、底面片３１に対して左側面片３４を垂直上方に折り曲げ、さらに、この左側面片３４に対して上面片４０を垂直に折り曲げて、中差込片４１の上に上面片４０を重ね合わせる。この際、図９に示すように、中差込片４１から上方に抜き起こされた抜き起し片４３を、上面片４０に形成された挿通溝４２Ａに差し込んで、抜き起し片４３の第１折目線４３ａを挿通溝４２Ａと一致するまで完全に抜き起し片４３を上面片４１に差し込む。
それから、外側面片４４を右側面片３５の外面に沿って重ね合わせるよう上面片４０に対して外側面片４４を垂直下方に折り曲げた後、外側面片４４に対して差込片４５を垂直に折り曲げて、差込溝４６に差込片４５を差し込んで係合する。
一方、上面片４０から引き出された抜き起し片４３は、第２、第３、第４の各折目線４３ｂ，４３ｃ，４３ｄを折って、上面片４０の係止溝４２Ｂに第４折目線４３ｄから先端側を差し込む。これにより、図１０に示すように、抜き起し片４３が、上面片４０から上方に浮いて配置されることとなり、装飾的効果を発揮した包装箱３０が完成する。
【００１４】
図１１から図１３は、この発明の包装箱の第３実施例（５０）を示す図であり、図１１は展開斜視図、図１２は組立途中の状態を示す斜視図、図１３は組立完成状態を示す斜視図である。
この実施例の包装箱５０は、図１１に示すように、矩形状の底面片５１を中心として、その前後左右の側端部にそれぞれ矩形状の側面片（前側面片５２、後側面片５３、左側面片５４、右側面片５５）が折目線を介して連設されている。前後の側面片５２，５３は、同一形状の矩形状に形成されてなり、左右方向寸法が底面片５１の左右方向寸法と同一とされてなる。また、左右の側面片５４，５５は、同一形状の矩形状に形成されてなり、前後方向寸法が底面片５１の前後方向寸法と同一とされると共に、組立時において上下方向寸法が前後の側面片５２，５３の上下方向寸法と同一となるよう構成されている。なお、左右の側面片５４，５５の前後方向両端部には、それぞれ舌片５８，５８，５９，５９が連設されている。
【００１５】
前後の側面片５２，５３には、底面片５１が連設された側辺と対向する側端部に、略台形状の折込片（前側折込片５６、後側折込片５７）が連設されている。前側面片５２に連設された前側折込片５６は、前後方向長さが底面片５１の前後方向寸法の二分の一よりも若干大きな寸法とされている。また、前側折込片５６は、左側端辺５６ａが前側面片５２や底面片５１の左側端辺と平行に前後方向に延びて形成されており、前側面片５２と対向する先端辺５６ｂが前側面片５２との間の折目線５６ｃと平行に且つ底面片５１の左右方向寸法の二分の一の寸法だけ左側端辺５６ａから右側に延びて形成されており、その右端部と前側面片５２側の基端辺５６ｃの右端部とが傾斜して結ばれている。すなわち、この傾斜辺５６ｄは、組立時に底面片５１の対角線と一致するよう形成されている。
一方、後側面片５３に連設された後側折込片５７は、前側折込片５６と略対称形状に形成されている。すなわち、右側端辺５７ａが後側面片５３や底面片５１の右側端辺と平行に前後方向に延びて形成され、後側面片５３と対向する先端辺５７ｂが後側面片５３との間の折目線５７ｃと平行に形成され、その左端部と後側面片５３側の基端辺５７ｃの左端部とが傾斜辺５７ｄで結ばれている。なお、先端辺５７ｂと右側端辺５７ａとの間は、第２傾斜辺５７ｅによって面取りされている。
【００１６】
左右の側面片５４，５５には、底面片５１が連設された側辺と対向する側端部に、略三角形状の上面片（左側上面片６０、右側上面片６１）が連設されており、さらにこれら各上面片６０，６１には、組立時において対向する端縁６０ｃ，６１ｃに、略半ハート形状の起し片６２，６３が連設されている。
左側面片５４に連設された左側上面片６０は、後端辺６０ａが左側面片５４の後端辺と連続に形成されており、その延出長さは、底面片５１の左右方向寸法よりやや小さくされている。また、左側上面片６０の後端辺６０ａの先端部は、前後方向と平行に僅かに前方に延びてカット辺６０ｂが形成されており、このカット辺６０ｂの前端縁と左側面片５４の前端部とが傾斜辺６０ｃによって結ばれた形状に形成されてなる。なお、この傾斜辺６０ｃは、組立時に底面片５１の対角線と一致するよう形成されている。
左側上面片６０の前後方向中央部の傾斜辺６０ｃには、略半ハート形状の左側起し片６２が略矩形状の連設部を介して連設されている。連設部の左右の側端辺、すなわち左側上面片６０の傾斜辺６０ｃと、起し片６２を構成するハート形の中心線とが折目線６２ａ，６２ｂとされており、また、起し片６２の基端側の折目線６２ａ上には、左側上面片６０の傾斜辺６０ｃと連続に、後方から起し片６２の略半分の長さだけ切込み６２ｃが形成されている。
右側面片５５に連設された右側上面片６１は、底面片５１の中心に対して前記左側上面片６０と点対称形状に形成されている。すなわち、前端辺６１ａが左右方向に延びると共に、右側面片５５の後端部から右側面片５５から離間するに従って前方に傾斜する傾斜辺６１ｃが形成され、この先端部に前後方向に延びるカット辺６１ｂが形成されてなる。また、傾斜辺６１ｃには、前記左側起し片６２と左右対称形状の半ハート形の右側起し片６３が連設部を介して連設されており、この連設部には、傾斜辺６１ｃと連続に前方から切込み６３ｃが形成されている。
【００１７】
次に、この実施例の包装箱５０の使用（組立）状態について説明する。
この実施例の包装箱５０は、図１１において、左右の起し片６２，６３の連設部に形成された各２本の折目線６２ａ，６２ｂ，６３ａ，６３ｂを山折りする他、その他の折目線を谷折りして製作される。
すなわち、左右の側面片５４，５５の前後両端部に連設された舌片５８，５９を垂直に折り曲げた後、右側面片５５を底面片５１に対して垂直上方に折り曲げると共に、右側面片５５に対して右側上面片６１を垂直に折り曲げて底面片５１の上方に配置する。そして、この状態で、右側上面片６１に対して右側起し片６３の連設部を垂直上方に折り曲げると共に、この連設部に対して右側起し片６３を折り曲げて右側上面片６１の上に右側起し片６３を配置する。
次に、底面片５１に対して前側面片５２を垂直上方に折り曲げ、さらに、この前側面片５２に対して前側折込片５６を垂直に折り曲げて、右側上面片６１の上に重ね合わせる。この際、図１２に示すように、前側折込片５６の傾斜辺５６ｄを右側起し片６３の連設部に形成された切込み６３ｃに差し込む。
その後、底面片５１に対して左側面片５４を垂直上方に折り曲げ、さらに、この左側面片５４に対して左側上面片６０を垂直に折り曲げて、前側折込片５６の上に左側上面片６０を重ね合わせる。また、左側上面片６０に対して左側起し片６２の連設部を垂直上方に折り曲げると共に、この連設部に対して左側起し片６２を折り曲げて左側上面片６０の上に左側起し片６２を配置する。
さらに、底面片５１に対して後側面片５３を垂直上方に折り曲げ、この後側面片５３に対して後側折込片５７を垂直に折り曲げて、左側上面片６０の上に後側折込片５７を重ね合わせる。この際、後側折込片５７の第２傾斜辺５７ｅ側を右側上面片６１の下方に差し込むと共に、傾斜辺５７ｄの側を左側起し片６２の連設部に形成された切込み６３ｃに差し込む。
これにより、図１３に示すように、左右の起し片６２，６３が、上方に浮いてハート型を形成して装飾的効果を発揮した包装箱５０が完成する。
【００１８】
図１４から図１６は、この発明の包装箱の第４実施例（７０）を示す図であり、図１４は展開斜視図、図１５は組立途中の状態を示す斜視図、図１６は組立完成状態を示す斜視図である。
この実施例の包装箱７０は、図１４に示すように、矩形状の後側面片７３を中心として、その他の片が折目線を介して連設されてなる。
すなわち、図１４に基づいて説明すると、後側面片７３の右側端部には、後側面片７３と同一形状の右側面片７５、前側面片７２、左側面片７４が順に連設されている。また、後側面片７３の左側端部には、組立時に前記左側面片７４の端部に接着される糊代片８２が連設されている。さらに、後側面片７３の下端部には、一辺の長さが前後左右の各側面片７２〜７５の幅寸法に等しい正方形状の底面片７１が連設されており、この底面片７１には、後側面片７３と対向する端部に、略矩形状の差込片８１が形成されている。
また、後側面片７３の上端部には、一辺の長さが後側面片７３の左右方向寸法に等しい正三角形状の後側傾斜片８３が連設されており、この後側傾斜片８３の左側端部には、後側傾斜片８３と同一形状の正三角形状の左側傾斜片８４、前側傾斜片８５、右側傾斜片８６が順に連設されている。
【００１９】
左側傾斜片８４、前側傾斜片８５及び右側傾斜片８６には、それぞれ下端部の幅方向中央部に、下方に行くに従ってやや幅寸法が小さくなると共に基端側左右両端部に切込みが入れられた略矩形状の差込舌片９１，９３，９５が連設されている。また、これらの差込舌片９１，９３，９５の左右両端部には、それぞれ下方に行くに従って幅寸法が小さくなる略台形状の折込舌片９２，９２，９４，９４，９６，９６がそれぞれ連設されている。
後側傾斜片８３には、右側端部の中央部に略矩形状の傾斜差込舌片８７が連設されると共に、その上下両端部に、略台形状の傾斜折込舌片８８，８８が連設されている。
右側傾斜片８６には、前側傾斜片８５が連設された辺と対向する側端部に、略台形状の傾斜舌片８９が連設されており、この傾斜舌片８９と右側傾斜片８６との連設部の中央部には、ほぼ折目線に沿って前記後側傾斜片８３の傾斜差込舌片８７が差し込まれる傾斜差込溝９０が形成されている。また、右側傾斜片８６と前側傾斜片８５との連設部の下方には、半円と半円とを直線で結んだような略長円形状の差込穴９７が形成されている。
【００２０】
右側面片７５、前側面片７２及び左側面片７４には、それぞれ上端部に、これら側面片７５，７２，７４と略同一形状の略矩形状の折込片（右側折込片７８、前側折込片７６、左側折込片７７）が連設されており、各連設部には、折目線にほぼ沿って、前記傾斜片８６，８５，８４の下端部に形成された差込舌片９５，９３，９１が差し込まれる差込溝１０３，１０１，１０２が形成されている。
また、右側折込片７８の右側端部には、円形状の挿通穴９８が形成されている。一方、前側折込片７６には、右側傾斜片７８との間の切込みから左右対称位置に、小穴９９ａが形成され、この小穴９９ａには、前記挿通穴９８の径と対応して放射状に複数本の割れ溝９９ｂが形成されている。さらに、右側面片７５と左側面片７４の下端部には、それぞれ略矩形状の舌片８０，７９が連設されている。
なお、前側面片７２には、下向き略コ字形状のミシン目１００が入れられている。
【００２１】
次に、この実施例の包装箱７０の使用（組立）状態について説明する。
この実施例の包装箱７０は、図１４における各折目線を谷折りして製作される。
すなわち、後側面片７３に対して右側面片７５を垂直前方に折り曲げた後、この右側面片７５に対して前側面片７２を垂直左側に折り曲げ、さらにこの前側面片７２に対して左側面片７４を垂直後方に折り曲げて、その左側面片７４の後端部の内面に、後側面片７３に対して垂直前方に折り曲げられた糊代片８２の外面を接着して固定して、図１５に示すような状態とする。
その後、左右の側面片７４，７５に対して左右の折込片７７，７８を互いに近接する方向に、左右の折込片７７，７８に対して垂直に折り曲げると共に、前側面片７２に対して前側折込片７６を垂直後方に折り曲げる。これにより、右側折込片７８の挿通穴９８と前側折込片７６の割れ溝９９ｂ中心の小穴９９ａとが同心に配置される。
次に、後側傾斜片８３に対して傾斜折込舌片８８，８８を折り込むと共に、右側傾斜片８６に対して傾斜舌片８９を折り込んだ後、後側面片７３に連設の４つの傾斜片８３〜８６を折り曲げて、後側傾斜片７３の傾斜差込舌片８３を右側傾斜片８６の傾斜差込溝９０に差し込んで略正四角錐形状を形成する。なお、好ましくは、傾斜折込舌片８８，８８と傾斜舌片８９とを接着して固定する。
【００２２】
さらに、左側傾斜片８４、前側傾斜片８５及び右側傾斜片８６に連設された折込舌片９２，９４，９６をこれら傾斜片８４〜８６に対して垂直内側に折り込んだ後、各傾斜片８４〜８６の下端部に連設された差込舌片９１，９３，９５を側面片７４，７２，７５と折込片７７，７６，７８との間に形成された差込溝１０２，１０１，１０３に差し込む。なお、好ましくは、各折込舌片９２，９４，９６と折込片７７，７６，７８とを接着して固定する。
そして、左右の側面片７４，７５に対して左右の舌片７９，８０を互いに近接する方向に、左右の側面片７４，７５に対して垂直に折り曲げる。その後、後側面片７３に対して底面片７１を垂直前方に折り曲げると共に、底面片７１に対して差込片８１を垂直上方に折り曲げて前側面片７２の後面に重ね合わせるよう差込片８１を差し込んで組み立てる。
これにより、図１６に示すように、下部が四角柱で上部が四角錐形状の包装箱７０が完成する。この包装箱７０は、図１６に示すように、前後左右の傾斜片８３〜８６にカレンダー等を印刷して使用すると好適である。また、前側傾斜片８５と右側傾斜片８６との間に形成された差込穴９７が、右側折込片７８の挿通穴９８や前側折込片７６の割れ溝９９ａ中心と同心になるので、図１６に示すように、差込穴９９ｂから鉛筆１１０等を差して使用することができる。この際、割れ溝９９ｂの作用により、鉛筆１１０の太さに関係なく鉛筆１１０を安定して立てておくことができるので、便利である。
さらに、前側面片７２に形成されたミシン目１００を切り離して折り込むことにより、前面に略矩形状の開口を形成し、その開口にメモ用紙１２０やティッシュ等を入れて使用することもできる。
【００２３】
なお、この発明の包装箱は、上記各実施例の構成に限らず、適宜変更可能である。
例えば、第１実施例の包装箱１０において、第１抜き起し片２２と第２抜き起し片２３とは、蝶や木の形状に限らず、左右対称形状の他の図形であってもよいことは勿論であるが、左右対称形状でない他の図形を両方の立ち上り部で連続になるよう形成してもよい。また、これらは、上面片２０の中央に配置する必要はなく、任意の位置にずらして形成してもよい。さらに、上面片２０と中差込片２１との対応する位置に開口を作って、収納される商品の模様等を外部から視認できるようにしてもよい。また、上面片２０に外側面片２４や差込片２５を連設しないで、上面片２０の端部を中差込片２１に形成した切込溝に差し込んで施蓋する構成であってもよい。
また、第２実施例の包装箱３０において、抜き起し片４３の基端側の第２折目線４３ｂを省略し、抜き起し片４３を三角形状に傾斜して配置する構成であってもよい。
さらに、第３実施例の包装箱５０において、左右の起し片６２，６３によって形成される形状は、ハート形に限らず任意の形状とすることができる。
また、第４実施例の包装箱７０において、四角柱形状の箱を四角錐形状の蓋で施蓋する構成は、断面四角形に限らず任意の多角形に変更することができる。
【００２４】
【発明の効果】
以上詳述したように、本発明の包装箱によれば、抜き起し片等によって箱を立体的に装飾することができ、内部に入れられる商品の付加価値を高めることができる。しかも、いずれの装飾箱も、一枚の紙を折ってできているので、製作が容易である。
【図面の簡単な説明】
【図１】この発明の包装箱の第１実施例を示す展開斜視図である。
【図２】図１の包装箱の組立途中の状態を示す斜視図である。
【図３】図１の包装箱の組立完成状態を示す斜視図である。
【図４】図３におけるＡ−Ａ断面図である。
【図５】図１の包装箱の変形例を示す展開斜視図である。
【図６】図５の包装箱の組立途中の状態を示す斜視図である。
【図７】図５の包装箱の組立完成状態を示す斜視図である。
【図８】この発明の包装箱の第２実施例を示す展開斜視図である。
【図９】図８の包装箱の組立途中の状態を示す斜視図である。
【図１０】図８の包装箱の組立完成状態を示す斜視図である。
【図１１】この発明の包装箱の第３実施例を示す展開斜視図である。
【図１２】図１１の包装箱の組立途中の状態を示す斜視図である。
【図１３】図１１の包装箱の組立完成状態を示す斜視図である。
【図１４】この発明の包装箱の第４実施例を示す展開斜視図である。
【図１５】図１４の包装箱の組立途中の状態を示す斜視図である。
【図１６】図１４の包装箱の組立完成状態を示す斜視図である。
【符号の説明】
１０，１０Ａ，３０，５０，７０    包装箱
１１，３１，５１，７１    底面片
１２，３２，５２，７２    前側面片
１３，３３，５３，７３    後側面片
１４，３４，５４，７４    左側面片
１５，３５，５５，７５    右側面片
１６，３６，５６，７６    前側折込片
１７，３７，５７    後側折込片
１８，１９，３８，３９，５８，５９，７９，８０    舌片
２０，４０    上面片
２１，４１    中差込片
２２    第１抜き起し片
２３    第２抜き起し片
２４，４４    外側面片
２５，４５，８１    差込片
２６，４６    差込溝
４２Ａ  挿通溝
４２Ｂ  係止溝
４３    抜き起し片
４３ａ  第１折目線
４３ｂ  第２折目線
４３ｃ  第３折目線
４３ｄ  第４折目線
６０    左側上面片
６１    右側上面片
６２    左側起し片
６３    右側起し片
７７    左側折込片
７８    右側折込片
８３    後側傾斜片
８４    左側傾斜片
８５    前側傾斜片
８６    右側傾斜片
【図１】
0003670083.tif 000002
【図２】
0003670083.tif 000003
【図３】
0003670083.tif 000004
【図４】
0003670083.tif 000005
【図５】
0003670083.tif 000006
【図６】
0003670083.tif 000007
【図７】
0003670083.tif 000008
【図８】
0003670083.tif 000009
【図９】
0003670083.tif 000010
【図１０】
0003670083.tif 000011
【図１１】
0003670083.tif 000012
【図１２】
0003670083.tif 000013
【図１３】
0003670083.tif 000014
【図１４】
0003670083.tif 000015
【図１５】
0003670083.tif 000016
【図１６】
0003670083.tif 000017